(57)【要約】【課題】接着剤を用いることなく複数の木材を強固に接合できる木材の接合方法を提供する。【解決手段】相対向する少なくとも一対の木材１０，２０の対向面１１，２１に，該対向面と垂直に相対向して接合用穴１２，２２を設け，対をなす接合用穴１２，２２に，少なくとも予め圧縮乾燥させられた連結棒３０を入れ，接合用穴内において，吸湿して膨張する連結棒３０の両端３１を中央部３２に比べて大きく膨張させることで，少なくとも一対の木材を接合する。連結棒３０の長手方向中央部３２に吸湿制限加工を施してもよいし，接合用穴１２，２２は対向面から遠ざかるにしたがって対向面と平行な面積が拡大する穴としてもよい。【選択図】図１
2011240525.tif 000002
【特許請求の範囲】
【請求項１】
複数の木材を接合する構造であって，相対向する少なくとも一対の木材の対向面に，該対向面と垂直に相対向して設けられた接合用穴と，対をなす接合用穴に，予め圧縮乾燥させられかつ長手方向中央部に吸湿制限加工が施された状態で入れられて，両端が前記対をなす接合用穴内にて膨張した，木材からなる連結棒とを備えたことを特徴とする木材の接合構造。
【請求項２】
複数の木材を接合する構造であって，相対向する少なくとも一対の木材の対向面に，該対向面と垂直に相対向して設けられた，該対向面から遠ざかるにしたがって前記対向面と平行な面積が拡大する接合用穴と，対をなす接合用穴に，予め圧縮乾燥させられた状態で入れられて，両端が前記対をなす接合用穴内にて膨張した，木材からなる連結棒とを備えたことを特徴とする木材の接合構造。
【請求項３】
前記接合用穴を貫通穴とし，該穴の外側から前記連結棒の両端に木ねじをねじ込んだことを特徴とする請求項１または２記載の木材の接合構造。
【請求項４】
複数の木材を接合する構造であって，相対向する少なくとも一対の木材の対向面に，該対向面と垂直に相対向して設けられた，該対向面から遠ざかるにしたがって前記対向面と平行な面積が拡大し，かつ奥部が閉塞された接合用穴と，対をなす接合用穴に，両端に楔が途中まで打ち込まれた状態で入れられ，両端が前記対をなす接合用穴内に完全に挿入される過程で前記楔が前記接合用穴の奥壁と当接することで完全に打ち込まれて両端が膨張した，木材からなる連結棒とを備えたことを特徴とする木材の接合構造。
【請求項５】
前記接合用穴および連結棒の，前記対向面と平行な断面形状を円形または楕円形としたことを特徴とする請求項１〜４のうちいずれか一項に記載の木材の接合構造。
【発明の詳細な説明】
【技術分野】
【０００１】
本発明は，複数の木材を接合する，木材の接合構造に関するものである。
【背景技術】
【０００２】
従来，例えば特許文献１に見られるように，複数枚の単板（２，３）を接着剤（４）で接着した積層材が知られている。
このような積層材によれば，単板（２，３）を積層して厚手の板体（積層体）を作成することができる。
しかしこの構造は接着剤が必要であるという難点を有している。
【０００３】
また，従来，例えば特許文献２に見られるように，床材（１）の端部に雇い実（２）を凹設し，床材（１）の端部を突き合わせて雇い実（２）を対向させると共に両雇い実（２）内に圧密乾燥した目地木材（３）を嵌め込んで成る床材の接合構造が知られている。
このような接合構造によれば，接着剤を用いることなく床材（１）同士を目地木材（３）で接合することができる。
【０００４】
しかし，このような接合構造は，両雇い実（２）および目地木材（３）の形状が単なる矩形（直方体）であり，かつ，目地木材（３）は圧密乾燥させただけのものであるので，接合強度は必ずしも強固とは言えない。
したがって，例えば同文献図１に示すように，床材（１）に適用し，床材（１）を水平方向に接合する場合には，床材（１）の両側（同公報図１における左右両側）に床材１の移動（接合面の離間）を阻止する規制部材（図示されていない）が通常設けられるため，問題ないと考えられるが，接合面の離間を阻止する規制部材がない場合，例えば，特許文献１における接着剤に代えて複数枚の単板を目地木材を用いて上下方向へ積層（接合）する場合には，十分な接合強度は得られない。
【先行技術文献】
【特許文献】
【０００５】
【特許文献１】特開平１１−１０５００５号公報
【特許文献２】特開平０６−１５８８３５号公報
【発明の概要】
【発明が解決しようとする課題】
【０００６】
本発明が解決しようとする課題は，接着剤を用いることなく複数の木材を強固に接合できる木材の接合構造を提供することである。
【課題を解決するための手段】
【０００７】
上記課題を解決するために，本発明の木材の接合構造は，複数の木材を接合する構造であって，相対向する少なくとも一対の木材の対向面に，該対向面と垂直に相対向して接合用穴を設け，対をなす接合用穴に，連結棒を入れ，当該接合構造をなす過程において，接合用穴内において，連結棒の両端を中央部に比べて大きく膨張させることで，前記少なくとも一対の木材を接合することを特徴とする。
具体的には，
本発明の木材の接合構造は，複数の木材を接合する構造であって，相対向する少なくとも一対の木材の対向面に，該対向面と垂直に相対向して設けられた接合用穴と，対をなす接合用穴に，予め圧縮乾燥させられかつ長手方向中央部に吸湿制限加工が施された状態で入れられて，両端が前記対をなす接合用穴内にて膨張した，木材からなる連結棒とを備えたことを特徴とする。
【０００８】
この発明に係る木材の接合構造によれば，相対向する一対の木材の対向面に相対向して設けられた接合用穴に入れられた，予め圧縮乾燥させられた連結棒の両端が，その後，前記木材からの吸湿で膨張する。連結棒は，予め圧縮乾燥させられているだけでなく，長手方向中央部に吸湿制限加工が施されているので，長手方向中央部に比べて両端部分における吸湿が促進され，結果として，中央部に比べて両端部分の方が膨張することとなる。この両端部分の膨張は接合用穴の入口部分に比べて奥部を拡径させるように作用するため，連結棒は接合用穴から抜けにくくなる。
これによって，前記一対の木材は，接着剤によらず強固に接合されることとなる。この接合構造を対向面と垂直方向に連続させれば３つ以上の木材を強固に接合することもできる。
【０００９】
また，本発明の木材の接合構造は，複数の木材を接合する構造であって，相対向する少なくとも一対の木材の対向面に，該対向面と垂直に相対向して設けられた，該対向面から遠ざかるにしたがって前記対向面と平行な面積が拡大する接合用穴と，対をなす接合用穴に，予め圧縮乾燥させられた状態で入れられて，両端が前記対をなす接合用穴内にて膨張した，木材からなる連結棒とを備えたことを特徴とする。
【００１０】
この発明に係る木材の接合構造によれば，相対向する一対の木材の対向面に相対向して設けられた接合用穴に入れられた，予め圧縮乾燥させられた連結棒の両端が，その後，前記木材からの吸湿で膨張する。接合用穴は，対向面から遠ざかるにしたがって対向面と平行な面積が拡大しているので，連結棒は，長手方向中央部に比べて両端部分の方が膨張することとなり，接合用穴から抜けにくくなる。
これによって，前記一対の木材は，接着剤によらず強固に接合されることとなる。この接合構造を対向面と垂直方向に連続させれば３つ以上の木材を強固に接合することもできる。
【００１１】
望ましくは，前記接合用穴を貫通穴とし，該穴の外側から前記連結棒の両端に木ねじをねじ込んだ構成とする。
このように構成すると，連結棒の中央部に対する両端部分の膨張がより一層大きくなる。したがって，前記一対の木材が一層強固に接合されることとなる。
【００１２】
また，本発明の木材の接合構造は，複数の木材を接合する構造であって，相対向する少なくとも一対の木材の対向面に，該対向面と垂直に相対向して設けられた，該対向面から遠ざかるにしたがって前記対向面と平行な面積が拡大し，かつ奥部が閉塞された接合用穴と，対をなす接合用穴に，両端に楔が途中まで打ち込まれた状態で入れられ，両端が前記対をなす接合用穴内に完全に挿入される過程で前記楔が前記接合用穴の奥壁と当接することで完全に打ち込まれて両端が膨張した，木材からなる連結棒とを備えたことを特徴とする。
【００１３】
この発明に係る木材の接合構造によれば，相対向する一対の木材の対向面に相対向して設けられた，該対向面から遠ざかるにしたがって前記対向面と平行な面積が拡大し，かつ奥部が閉塞されたた接合用穴に，両端に楔が途中まで打ち込まれた状態で入れられた連結棒の両端は，その後，前記対をなす接合用穴内に完全に挿入される過程で前記楔が前記接合用穴の奥壁と当接することで完全に打ち込まれて膨張する。接合用穴は，対向面から遠ざかるにしたがって対向面と平行な面積が拡大しており，連結棒は，長手方向中央部に比べて両端部分の方が膨張するので，接合用穴から抜けにくくなる。
これによって，前記一対の木材は，接着剤によらず強固に接合されることとなる。この接合構造を対向面と垂直方向に連続させれば３つ以上の木材を強固に接合することもできる。
【００１４】
望ましくは，前記接合用穴および連結棒の，前記対向面と平行な断面形状を円形または楕円形とする。
このように構成すると，連結棒が膨張した際の接合用穴における応力集中が軽減されるため，前記一対の木材が破損しにくくなる。
【図面の簡単な説明】
【００１５】
【図１】本発明に係る木材の接合構造の一実施の形態を示す図で（ａ）〜（ｄ）は接合工程例を示す要部断面図，（ｄ）は同工程で得られた木材の接合構造の要部断面図，（ｅ）（ｆ）（ｇ）はそれぞれ図（ｄ）の部分省略底面図，（ｈ）は連結棒３０の変形例を示す断面図。
【図２】３つの木材１０，２０，５０を対向面と垂直方向に連続させた例を示す断面図，（ｂ）は図（ａ）の部分省略底面図。
【図３】（ａ）（ｂ）および（ｃ）（ｄ）はそれぞれ連結棒３０の変形例を示す斜視図。
【図４】本発明に係る木材の接合構造の他の実施の形態を示す図で（ａ）〜（ｄ）は接合工程例を示す要部断面図，（ｄ）は同工程で得られた木材の接合構造の要部断面図，（ｅ）（ｆ）（ｇ）はそれぞれ図（ｄ）の部分省略底面図，（ｈ）は作用説明図。
【図５】本発明に係る木材の接合構造のさらなる他の実施の形態を示す図で（ａ）〜（ｄ）は接合工程例を示す要部断面図，（ｄ）は同工程で得られた木材の接合構造の要部断面図，（ｅ）（ｆ）（ｇ）はそれぞれ図（ｄ）の部分省略底面図，（ｈ）は作用説明図。
【図６】本発明に係る木材の接合構造の他の実施の形態を示す図で（ａ）〜（ｇ）は接合工程を示す要部断面図，（ｇ）は同工程で得られた木材の接合構造の要部断面図，（ｈ）は作用説明図。
【図７】本発明に係る木材の接合構造のさらに異なる実施の形態を示す図で（ａ）〜（ｇ）は接合工程を示す要部断面図，（ｇ）は同工程で得られた木材の接合構造の要部断面図。
【図８】（ａ）〜（ｅ）はさらなる変形例を示す接合工程図，（ｅ）は同工程で得られた木材の接合構造の要部断面図。
【発明を実施するための形態】
【００１６】
以下，本発明に係る木材の接合構造の実施の形態について図面を参照して説明する。
図１（ｄ）に示す実施の形態の木材の接合構造は，複数の木材（図１では２枚の木材１０，２０）を接合する構造であって，相対向する少なくとも一対の木材１０，２０の対向面１１，２１に，該対向面１１，１２と垂直に相対向して設けられた接合用穴１２，２２と，対をなす接合用穴１２，２２に，予め圧縮乾燥させられかつ長手方向中央部（３２）に吸湿制限加工３２が施された状態で入れられて，両端３１，３１が前記対をなす接合用穴１２，２２内にて膨張する，木材からなる連結棒３０とを備えている。
【００１７】
このような接合構造は，例えば図１（ａ）に示すように相対向する少なくとも一対の木材の対向面１１，２１に，該対向面１１，２１と垂直に，接合用穴１２，２２を相対向させて設け，対をなす接合用穴１２，２２に，図（ｂ），図（ｃ）に示すように，予め圧縮乾燥させかつ長手方向中央部（３２）に吸湿制限加工３２を施した，木材からなる連結棒３０を入れ（軸線方向に挿入し），該連結棒３０の両端３１，３１を前記対をなす接合用穴１２，２２内にて膨張させて前記複数の木材１０，２０を接合することで得ることができる（図（ｄ）参照）。
【００１８】
このような木材の接合構造によれば，相対向する一対の木材１０，２０の対向面１１，２１に相対向して設けられた接合用穴１２，２２に入れられた，予め圧縮乾燥させられた連結棒３０の両端３１，３１が，その後，木材１０，２０からの吸湿で膨張する。連結棒３０は，予め圧縮乾燥させられているだけでなく，長手方向中央部（３２）に吸湿制限加工３２が施されているので，長手方向中央部（３２）に比べて両端部分３１，３１における吸湿が促進され，結果として，例えば図１（ｄ）に示されるように中央部（３２）に比べて両端部分３１，３１の方が膨張することとなる。この両端部分３１，３１の膨張は接合用穴１２，２２の入口部分ｄ１（図１（ａ）（ｄ）参照）に比べて奥部ｄ２を拡大させるように作用するため，連結棒３０は接合用穴から抜けにくくなる。
【００１９】
これによって，一対の木材１０，２０は，接着剤によらず連結棒３０によって強固に接合されることとなる。接合強度は，連結棒３０の太さや本数によって調整することが可能である。
なお，図１（ｄ）は連結棒３０の両端部分３１，３１の膨張状態を概念的に描いたものであり，両端部分３１が図示の通りに膨張するとは限らない。しかし，連結棒３０の長手方向中央部（３２）には吸湿制限加工３２が施されているので，長手方向中央部（３２）に比べて両端部分３１，３１の方が大きく膨張することにかわりはない。
【００２０】
このような接合構造によると，接合用穴１２，２２の奥部は塞がれているので，この穴１２，２２および連結棒３０の端部は木材の接合構造体４０の外面４１には露出しない。したがって木材の接合構造体４０の外観を向上させることができる。
【００２１】
このような接合構造は，対向面と垂直方向に連続させれば３つ以上の木材を強固に接合することもできる。図２（ａ）は３つの木材１０，２０，５０を対向面と垂直方向に連続させた例を示しているが，４枚以上接合することも可能である。接合強度は連結棒３０の太さや本数によって調整できる。連結棒３０の太さ，長さ，および本数は，接合する木材（例えば木材１０，２０，５０）の厚さ，幅，長さに応じて設定することができる。
【００２２】
連結棒３０は，プレスにて３／４〜１／２ほどに圧縮して水分を押し出した圧縮乾燥木材を用い，その長手方向中央部（３２）に吸湿制限加工３２を施したものを使用することができる。吸湿制限加工３２は長手方向中央部（３２）に，公知の木材用防水塗料（例えばウレタン）を塗布または含浸させることによって行うことができる。あるいは，図１（ｈ）に示すように，連結棒３０の長手方向中央部（３２）を小径とし，その外周に公知の防水テープ３３を一巻き以上巻き付けることによって行うこともできる。防水テープ３３には，長手方向中央部（３２）の膨張を防止または抑制する役割を持たせることもできる。そのようにすると，長手方向中央部（３２）に比べて両端部分３１，３１の方が大きく膨張するという作用をより確実に得ることが可能になる。
【００２３】
また，連結棒３０としては，例えば図３（ａ）（ｂ）に示すように，圧縮乾燥前の形状が長手方向中央部（３２）に比べて両端部３１，３１が膨出した形状の木材を，その両端部３１，３１のみをプレスにて３／４〜１／２ほどに圧縮して水分を押し出したものを用いることもできる。このような連結棒３０は，接合用穴１２，２２に入れられると，吸湿して図３（ａ）に示すような元の形状に戻ろうとする。すなわち，中央部（３２）に比べて両端部分３１，３１の方が膨張することとなる。したがって，このような連結棒３０も，予め圧縮乾燥させられかつ長手方向中央部（３２）に吸湿制限加工３２が施された木材からなる連結棒であるといえる。
【００２４】
図３（ａ）（ｂ）に示す連結棒３０では，両端部分３１，３１を幅方向（図において左右方向）にのみ圧縮したが，破線矢印Ｐ１で示すように，奥行き方向にも圧縮することができる。
また，図３（ａ）（ｂ）に示す連結棒３０は角柱状のもであるが，図３（ｃ）（ｄ）に示すように，円柱状のものを用いることもできる。なお，図示はしないが断面楕円形状のものを用いることもできる。
図３（ｃ）（ｄ）に示す連結棒３０は，円柱状の両端部分３１，３１を周方向に関して均一に圧縮したものであるが，周方向に関する圧縮率を変えることで断面楕円形とすることもできる。
【００２５】
圧縮乾燥木材は放置しておくと周囲の水分（湿気）を吸収して元の太さ近くに戻る。したがって，連結棒３０としては，その圧縮乾燥前の太さ（少なくとも両端部分３１の太さ）が接合用穴の大きさより大きなものを用いる。なお，単なる乾燥木材では何年か後に水分(含水率)が平行状態（連結棒３０とこれにより接合された木材（例えば１０，２０）との含水率が同じ）になったとき緩くなることが考えられ，抜けてしまうおそれがあるが，圧縮乾燥木材を使うことでその可能性を大幅に減らすことができる。
【００２６】
接合用穴１２，２２および連結棒３０の，対向面１１，２１と平行な断面形状は，図１（ｅ）に示すように円形とする（連結棒３０を円柱状にする）こともできるし，図１（ｆ）に示すように楕円形とすることもできる。また，図１（ｇ）に示すように四角形とする（連結棒３０を角柱状にする）こともできる。
接合用穴１２，２２および連結棒３０の，対向面と平行な断面形状を円形または楕円形とすることにより，連結棒３０が膨張した際の接合用穴１２，２２における応力集中を軽減し，一対の木材１０，２０を破損しにくくすることができる。後述する実施の形態においても同様である。
【００２７】
図４は，本発明に係る木材の接合構造の他の実施の形態を示す図で（ａ）〜（ｄ）は接合工程例を示す要部断面図，（ｄ）は同工程で得られた木材の接合構造の要部断面図，（ｅ）（ｆ）（ｇ）はそれぞれ図（ｄ）の部分省略底面図，（ｈ）は作用説明図である。図４において，前述した実施の形態と同一部分ないし相当する部分には同一の符号を付してある。
【００２８】
この実施の形態の木材の接合構造は，複数の木材（図４では２枚の木材１０，２０）を接合する構造であって，相対向する少なくとも一対の木材１０，２０の対向面１１，２１に，該対向面１１，２１と垂直に相対向して設けられた，該対向面１１，２１から遠ざかるにしたがって対向面１１，２１と平行な面積が拡大する接合用穴１２，２２と，対をなす接合用穴１２，２２に，予め圧縮乾燥させられた状態で入れられて，両端３１，３１が前記対をなす接合用穴１２，２２内にて膨張する，木材からなる連結棒３０とを備えている。
すなわち，この実施の形態が図１，図２に示した実施の形態と異なる点は，接合用穴１２，２２を，対向面１１，２１から遠ざかるにしたがって対向面１１，２１と平行な面積が拡大する穴とし，連結棒３０の長手方向中央部（３２）への吸湿制限加工３２を不要とした点にあり，その他の点に変わりはない。
【００２９】
このように構成すると，接合用穴１２，２２が，対向面１１，２１から遠ざかるにしたがって対向面と平行な面積が拡大しているので，連結棒３０は，長手方向中央部に比べて両端部分３１，３１の方が膨張することとなる。そのため，接合用穴１２，２２から抜けにくくなる。
これによって，一対の木材１０，２０は，接着剤によらず連結棒３０によって強固に接合されることとなる。
【００３０】
なお，図２に示したと同様，この接合構造を対向面と垂直方向に連続させれば３つ以上の木材を強固に接合することもできる。
また，この実施の形態おいても連結棒３０の中央部分に吸湿制限加工を施すことも可能である。
【００３１】
対向面１１，２１から遠ざかるにしたがって大きくなる接合用穴１２，２２は，截頭円錐形とすることもできるし，截頭四角錐形とすることもできる。
このように構成すると，図４（ｈ）に示すように，連結棒３０の膨張が，接合用穴１２，２２の傾斜面に作用して，対をなす木材１０，２０の対向面１１，２１同士を圧接させる分力Ｆを発生させる。したがって一対の木材１０，２０がより強固に接合される。
【００３２】
図５は，本発明に係る木材の接合構造のさらなる他の実施の形態を示す図で（ａ）〜（ｄ）は接合工程例を示す要部断面図，（ｄ）は同工程で得られた木材の接合構造の要部断面図，（ｅ）（ｆ）（ｇ）はそれぞれ図（ｄ）の部分省略底面図，（ｈ）は作用説明図である。図５において，前述した実施の形態と同一部分ないし相当する部分には同一の符号を付してある。
【００３３】
この実施の形態の木材の接合構造は，複数の木材（図４では２枚の木材１０，２０）を接合する構造であって，相対向する少なくとも一対の木材１０，２０の対向面１１，２１に，該対向面１１，２１と垂直に相対向して設けられた，該対向面１１，２１から遠ざかるにしたがって対向面１１，２１と平行な面積が拡大し，かつ奥部が閉塞された接合用穴１２，２２と，対をなす接合用穴１２，２２に，両端３１に楔３４が途中まで打ち込まれた状態で入れられ，両端３１が前記対をなす接合用穴１１，２１内に完全に挿入される過程で前記楔３４が前記接合用穴１２，２２の奥壁１２ｂ，２２ｂと当接することで完全に打ち込まれて両端３１，３１が膨張した，木材からなる連結棒３０とを備えている。
【００３４】
この接合構造によれば，相対向する一対の木材１０，２０の対向面１１，２１に相対向して設けられた，該対向面１１，２１から遠ざかるにしたがって前記対向面と平行な面積が拡大し，かつ奥部が閉塞されたた接合用穴１２，２２に，両端３１，３１に楔３４が途中まで打ち込まれた状態で入れられた連結棒３０の両端３１，３１は，その後，前記対をなす接合用穴１２，２２内に完全に挿入される過程で前記楔３４が前記接合用穴１２，２２の奥壁１２ｂ，２２ｂと当接することで完全に打ち込まれて膨張する。接合用穴１２，２２は，対向面１１，２１から遠ざかるにしたがって対向面と平行な面積が拡大しており，連結棒３０は，長手方向中央部３２（図５（ｄ）参照）に比べて両端部分３１，３１の方が膨張するので，接合用穴１２，２２から抜けにくくなる。
これによって，一対の木材１０，２０は，接着剤によらず強固に接合されることとなる。
図５（ｈ）に示すように，連結棒３０の両端部分３１，３１の膨張は，接合用穴１２，２２の傾斜面に作用して，対をなす木材１０，２０の対向面１１，２１同士を圧接させる分力Ｆを発生させるから，一対の木材１０，２０はより強固に接合される。
【００３５】
なお，この接合構造を対向面と垂直方向に連続させれば，図２に示したと同様３つ以上の木材を強固に接合することもできる。この実施の形態における連結棒３０は圧縮乾燥させる必要はないが，圧縮乾燥させたものを用いることもできる。その場合，長手方向中央部分に吸湿制限加工を施すことも可能である。
楔３４形状は，連結棒３０の端部形状に合わせて採用することができ，図（ｅ）（ｆ）（ｇ）に示すように，円錐形，楕円錐形，四角錐形等を採用することができる。三角錐とすることも可能である。
【００３６】
図５（ａ）〜（ｄ）に示す接合工程例について説明すると次の通りである。
図（ａ）に示すように，対向面１１，２１に相対向して設けられた接合用穴１２，２２を有する一対の木材１０，２０と，連結棒３０と，その両端３１，３１に打ち込むべき楔３４とを用意する。楔３４は，連結棒３０の端部３１に対し予め途中まで打ち込んでおく。図（ａ）においては，連結棒３０の両端部分３１，３１に対し，楔３４をそれぞれ予め打ち込んだ状態を示しているが，その打ち込みタイミングは，連結棒３０の端部３１を接合用穴に挿入する前であればよい。また，そのうち込み程度は，連結棒３０の端部３１が接合用穴に挿入不能とはならない程度とする。
【００３７】
図（ｂ）に示すように，楔３４を途中まで打ち込んだ状態の連結棒３０の一端３１を一方の木材の接合用穴（図示の場合，接合用穴１２）に挿入し，図（ｃ）に示すように，連結棒３０を接合用穴１２に完全に挿入する。この過程で，楔３４の頭部が接合用穴１２の奥壁１２ｂに押圧され，楔３４が連結棒３０の一端３１に完全に打ち込まれた状態となって，該一端３１が膨張し，連結棒３０は接合用穴１２から抜けなくなる。なお，この際，上述したように他端（図では上端）３１には必ずしも楔３４を打ち込んでおく必要はない。
【００３８】
その後，図（ｃ）（ｄ）に示すように，楔３４を途中まで打ち込んだ他端３１を他方の木材の接合用穴（図示の場合，接合用穴２２）に挿入する。その過程で，楔３４の頭部が接合用穴２２の奥壁２２ｂに押圧され，楔３４が連結棒３０の他端３１に完全に打ち込まれた状態となって，該他端３１が膨張し，連結棒３０の両端３１，３１が接合用穴１２，２２から抜けなくなる。
【００３９】
図６は本発明に係る木材の接合構造のさらなる他の実施の形態を示す図で（ａ）〜（ｇ）は接合工程を示す要部断面図，（ｈ）は作用説明図である。
この実施の形態の木材の接合構造が図４に示した実施の形態と異なる点は，接合用穴１２，２２を貫通穴とし，連結棒３０の両端３１に木ねじ３６をねじ込むようにした点にあり，その他の点に変わりはない。木ねじ３６は円錐形のものを用いるのが望ましい。
【００４０】
図６においては，接合用穴１２，２２を，対向面１１，２１から遠ざかるにしたがって対向面１１，２１と平行な面積が拡大する穴とし，長手方向中央部（３２）への吸湿制限加工３２を施さない連結棒３０を用いた場合の例を示しているが，長手方向中央部（３２）への吸湿制限加工３２を施した連結棒３０（図１，図３参照）を用いた場合にも，木ねじ３６をねじ込むことができる。その場合，接合用穴１２，２２は図１に示したと同様の穴とすることができる。
【００４１】
木ねじ３６をねじ込込んだ構成すると，連結棒３０の中央部（３２）に対する両端部分３１の膨張がより一層大きくなる。したがって，一対の木材１０，２０が一層強固に接合される。特に，接合用穴１２，２２を截頭円錐形または截頭四角錐形とすると，接合用穴１２，２２の傾斜面に作用する，図（ｈ）に示す木材１０，２０の対向面１１，２１同士を圧接させる分力Ｆが一層大きくなるので，一対の木材１０，２０がより一層強固に接合される。
接合用穴１２，２２は貫通穴であるので，木ねじ３６の頭部に対して外側からの外力は作用しないが，楔とは異なり，木ねじ３６にはネジ山があるので，上記分力Ｆの反力が作用しても，木ねじ３６は抜けない（少なくとも著しく抜けにくい）。
【００４２】
図６（ａ）〜（ｇ）に示す接合工程例について説明すると次の通りである。
図（ａ）（ｂ）に示すように，２枚の木材１０，２０を合わせ，それら木材１０，２０に図（ｃ）に示すように接合用貫通穴１２，２２を形成する。
図（ｄ）（ｅ）に示すように，接合用貫通穴１２，２２に対し一方から連結棒３０を挿入し，図（ｆ）（ｇ）に示すように連結棒３０の両端３１に木ねじ３６をねじ込む。
【００４３】
図７は本発明に係る木材の接合構造のさらに異なる実施の形態を示す図で（ａ）〜（ｇ）は接合工程を示す要部断面図である。図８（ａ）〜（ｅ）はさらなる変形例を示す接合工程図である。
図７に示す実施の形態の接合構造が，図６に示した実施の形態と主に異なる点は，一対の木材１０，２０を，他の木材６０を介して接合した点にあり，その他の点に変わりはない。他の木材６０は複数とすることも可能である。
【００４４】
図７，図８においては，接合用穴１２，２２を，対向面１１，２１から遠ざかるにしたがって対向面１１，２１と平行な面積が拡大する穴とし，長手方向中央部（３２）への吸湿制限加工３２を施さない連結棒３０を用いた場合の例を示しているが，長手方向中央部（３２）への吸湿制限加工３２を施した連結棒３０（図１，図３参照）を用いた場合にも，木ねじ３６をねじ込むことができる。その場合，接合用穴１２，２２は図１に示したと同様の穴とすることができる。
【００４５】
図７（ａ）〜（ｇ）に示す接合工程例について説明すると次の通りである。
図（ａ）（ｂ）に示すように，２枚の木材１０，２０を，他の木材６０を間に挟んで合わせ，それら木材１０，６０，２０に図（ｃ）に示すように接合用貫通穴１２，６２，２２を形成する。
図（ｄ）（ｅ）に示すように，接合用貫通穴１２，６２，２２に対し一方から連結棒３０を挿入し，図（ｆ）（ｇ）に示すように連結棒３０の両端３１に木ねじ３６をねじ込む。
【００４６】
これによって木材１０，６０，２０を連結棒３０で接合した木材の接合構造体４０が得られるが，図８（ａ）〜（ｅ）に示すように，木材の接合構造体４０の外面には，第２の木材（特許請求の範囲に記載の木材）としての外側板６１，６１を接合して，連結棒３０の端部３１を見えないようにすることができる。
【００４７】
すなわち，図８（ａ）に示すように，木材１０，２０の外側面（接合面（対向面））に複数の第２接合用穴１３，２３を設け，図（ｂ）（ｃ）に示すように，第２接合用穴１３，２３に第２連結棒３５を挿入する。一方，図（ｄ）に示すように外側板６１，６１の内側面（接合面（対向面））には第３接合用穴６３を設け，この第３接合用穴６３に第２連結棒３５を嵌め合わせる。この例においても，第２連結棒３５として，長手方向中央部（３２）への吸湿制限加工３２を施した連結棒を用いることができ，その場合，接合用穴１２，２２は図１に示したと同様の穴とすることができる。
【００４８】
以上，本発明の実施の形態について説明したが，本発明は上記の実施の形態に限定されるものではなく，本発明の要旨の範囲内において適宜変形実施可能である。また，各実施の形態や変形例は適宜組み合わせて実施することができる。
【符号の説明】
【００４９】
１０，２０，６０    木材
１１，２１    対向面
１２，２２，６３  接合用穴
３０    連結棒
３１    両端
３４    楔
３６    木ねじ
【図１】
2011240525.tif 000003
【図２】
2011240525.tif 000004
【図３】
2011240525.tif 000005
【図４】
2011240525.tif 000006
【図５】
2011240525.tif 000007
【図６】
2011240525.tif 000008
【図７】
2011240525.tif 000009
【図８】
2011240525.tif 000010